(57)【要約】      （修正有）【課題】雑菌が連結管や給水コックからディスペンサ内部に侵入することを防ぎ、そして、冷水が長期滞留することなく、微生物の発生を防ぐことが出来る冷温水ディスペンサーの提供。【解決手段】  バッグインボックス型液体包装体から飲料水を、配管系統中に加熱装置を有する温水タンクと、冷却装置を有する冷水コイルを介して飲用に供するディスペンサにおいて、液体包装体を接続する連結管直後の配管内に抗菌装置を設け、更に、プラズマイオン発生装置を給水コック上部本体内側に設け、そして冷水配管には冷水循環用の循環配管と循環ポンプを設けた。【選択図】図１
0003110564.tif 000002
【実用新案登録請求の範囲】
【請求項１】
バッグインボックス型液体包装体から飲料水を、配管系統中に加熱装置を有する温水タンクと、冷却装置を有する冷水コイルを介して飲用に供するディスペンサにおいて、液体包装体を接続する連結管直後の配管内に抗菌装置を設け、また、給水コック上部本体内側にプラズマイオン発生装置を設け、給水コック付近を中心にディスペンサ周辺の空気を浄化し、ディスペンサ内部に雑菌が侵入、増殖しないことを可能にしたことを特徴とする飲料水ディスペンサ。
【請求項２】
バッグインボックス型液体包装体から飲料水を、配管系統中に加熱装置を有する温水タンクと、冷却装置を有する冷水コイルを介して飲用に供するディスペンサにおいて、冷水コイル内部の冷却水を電動ポンプにより常に循環させることにより、微生物の増殖を抑制することを可能にしたことを特徴とする飲料水ディスペンサ。
【請求項３】
バッグインボックス型液体包装体から飲料水を、配管系統中に加熱装置を有する温水タンクと、冷却装置を有する冷水コイルを介して飲用に供するディスペンサにおいて、同液体包装体の液体供給口がディスペンサ側の接続用連結管に装着及び取り外される際、同液体包装体を搭載、固定する台座の下部に設けられた偏心カム機構により台座を昇降させることで装着及び取り外しを容易にすることを特徴とした飲料水ディスペンサ。
【請求項４】
バッグインボックス型液体包装体から飲料水を、配管系統中に加熱装置を有する温水タンクと、冷却装置を有する冷水コイルを介して飲用に供するディスペンサにおいて、同液体包装体の液体供給口がディスペンサ側の接続用連結管に装着及び取り外される際、連結管の形状をテーパー型とし、供給口と連結管の密接を保つことにより水漏れを防ぎつつ、装着及び取り外しを容易にすることを可能としたことを特徴とする飲料水ディスペンサ。
【請求項５】
バッグインボックス型液体包装体から飲料水を、配管系統中に加熱装置を有する温水タンクと、冷却装置を有する冷水コイルを介して飲用に供するディスペンサにおいて、冷水を飲用として冷水コックより給水する際、冷却水循環ポンプをリミットスイッチにより停止させることにより、冷水を安定して供給することを可能にしたことを特徴とする飲料水ディスペンサ。
【考案の詳細な説明】
【技術分野】
【０００１】  本考案はバッグインボックス型液体包装体から供給された水を冷却、加温して外部に供給する冷温水ディスペンサに関する。
【背景技術】  冷却された飲料水と、これの温水とを供給する液体供給装置が多くの職場などに設置されている。この供給装置に飲料水を供給する手段としては、主として飲料水を充填した大型ペットボトルを供給装置上部の受け部に連結管を介して直接セットし、装置の給水コックを操作することで飲料水が供給される方法がとられている。【０００２】  しかし、この大型ペットボトルでの飲料水の供給方法には本質的な問題がある。即ち、温水、冷水コックを開き給水するが、そのときに周囲の空気を大型ペットボトル内部に吸入してしまい、飲料水を汚染する可能性が高いという問題点がある。【０００３】  このような大型ペットボトルによる飲料水の供給方法に代わる効果的な飲料水の供給方法としてバッグインボックス型液体包装体がある。この包装体では飲料水を供給するとき、ダンボール箱に収容されたバッグが収縮するため周囲の空気を吸入しないという利点がある。【０００４】  しかし、このバッグインボックス型液体包装体にも課題がある。即ち、包装体の液体供給口とディスペンサを連結するときに、開放タイプ、たとえばネジ付キャップをコック付キャップに交換した後、コックとディスペンサ側のホースを接続するなどの操作が必要である場合、この操作のときに空気が混入し、また手がコックや、ホース、その近辺に触れ、菌が発生する恐れがある。また、包装体の液体供給口をディスペンサの連結管に直接連結する場合でも、相互の密接が保たれていないと水漏れが発生し、あるいは空気が混入して菌が発生する恐れがある。【０００５】  また、ミネラルウォーターなどの場合は、水道水と違って殺菌用塩素が添加されていないため、長時間にわたって飲料水がディスペンサ内部で滞留するような状態が継続すると、微生物が増殖する恐れがある。【０００６】  そこで、バッグインボックス型液体包装体の特徴を生かし、この包装体の供給口をディスペンサの連結管に互いに密接した状態を保つことにより水漏れを防ぎつつ、直接取り付ける構造とした。【０００７】
【実用新案登録文献１】
実用新案登録第３１０２９５３号
【考案の開示】
【考案が解決しょうとする課題】
【０００８】  上記のバッグインボックス型液体包装体の供給口をディスペンサの連結管に互いに密接した状態を保ちながら装着する方法においても、装着前には、連結管が空気中に露出している状態であり、また、給水時にも、給水コックよりわずかながらも空気が混入することにより、冷温水ディスペンサ内部に雑菌が侵入し、増殖する可能性があった。更に、冷水が装置内部で長時間滞留することにより微生物が発生する可能性があった。
【０００９】  また、バッグインボックス型液体包装体を連結管に装着及び取り外す際、同包装体の飲料水供給口が固定されていないため、装着及び取り外しが容易でなかった。
【課題を解決するための手段】
【００１０】  上記目的を達成するために、バッグインボックス型液体包装体から飲料水を、配管系統中に加熱装置を有する温水タンクと、冷却装置を有する冷水コイルを介して飲用に供するディスペンサにおいて、雑菌がディスペンサ内部に侵入することを防ぎ、ディスペンサ内部で雑菌が発生、増殖しないように、液体包装体を接続する連結管直後の配管内に抗菌装置を設け、また、給水コック付近を中心にディスペンサ周辺の空気を浄化するプラズマイオン発生装置を給水コック上部本体内側に設けたものである。
【００１１】  更に、バッグインボックス型液体包装体から飲料水を、配管系統中に加熱装置を有する温水タンクと、冷却装置を有する冷水コイルを介して飲用に供するディスペンサにおいて、長時間にわたって飲料水がディスペンサ内部で滞留するような状態が継続し、結果、微生物が発生することを防ぐため、冷水コイル配管系統内に冷却水循環ポンプを設けたものである。
【００１２】  また、バッグインボックス型液体包装体から飲料水を、配管系統中に加熱装置を有する温水タンクと、冷却装置を有する冷水コイルを介して飲用に供するディスペンサにおいて、液体包装体をディスペンサに容易に、装着及び取り外せるようにするため、液体包装体を搭載、固定する台座の下部に、台座を昇降させるための偏心カム機構を設けたものである。すなわち、手動レバーまたは装置内部に設けられた電動モータにより、偏心カム機構を回転させる。偏心カム機構は台座の下部に組み込まれており、回転することにより台座を昇降させる。この動きにより、液体包装体の供給口は連結管に容易に装着または取り外すことが出来る。
【００１３】  更に、バッグインボックス型液体包装体から飲料水を、配管系統中に加熱装置を有する温水タンクと、冷却装置を有する冷水コイルを介して飲用に供するディスペンサにおいて、同液体包装体の液体供給口がディスペンサ側の接続用連結管に装着及び取り外される際、供給口と連結管の密接を保つことにより水漏れを防ぎつつ、装着及び取り外しを容易にするためテーパー型連結管を設けたものである。
【００１４】  この装置において、冷却水循環ポンプは冷水コックと同一配管系統内に設置されているが、コックより冷水を給水する際、循環ポンプの動作により冷水の給水が妨げられることなく安定して給水できるように、冷水給水時に循環ポンプの作動を停止するためのリミットスイッチを設けたものである。
【考案の効果】
【００１５】  本考案のディスペンサは、その内部に雑菌が侵入することを防ぎ、また常時、冷却水を循環させることにより配管内での菌の発生、微生物の増殖を抑制し、ミネラルウォーター等の飲料水を本来の品質に保ち、常時、温水と冷水とを提供することができる。更に、バッグインボックス型液体包装体を、液体包装体固定用台座に搭載し、台座昇降偏心カム機構及びテーパー型連結管によりディスペンサへの装着及び取り外しを、水漏れなく、且つ容易に行うことが出来る。
【考案を実施するための最良の形態】
【００１６】  第１図は本考案実施例による冷温水ディスペンサ１の構成図である。ディスペンサ装置１上部に装着したバッグインボックス型液体包装体２から連結管３及び供給配管４を介して、飲料水を温水タンク５と冷水コイル６に自重で供給する。温水タンク５内の飲料水はヒーター７にて加熱され、冷水コイル６内の飲料水は冷却装置８にて冷却され、温水は、温水タンク５に接続された温水コック９から給湯でき、冷水は冷水コイル６に接続された冷水コック１０から給水できる。更に、冷水コイル６は冷却水循環のため循環配管１１により循環ポンプ１２とつながっている。循環ポンプ１２の作動により、冷却水が常に冷水コイル６と循環配管１１内を循環する。そして、冷水コック１０を操作し給水する時、冷水コック上部本体側に位置するリミットスイッチ１３が働き、循環ポンプ１２の作動を停止する。【００１７】  第２図は本考案の配管図である。
図２において、連結管３直後の供給配管４内に抗菌装置１８が設けられている。冷水コイル６には冷水コック１０が接続されている。更に冷水コイル６は同コイルに沿って設けられた冷却装置８により冷却される。冷水コック１０が開かれないときには、冷水コイル６に接続された循環配管１１に組み込まれた循環ポンプ１２が常時作動し、冷却水を冷水配管内で循環させる。冷水コック１０を開き給水する時には、同コック上のリミットスイッチ１３が働き、循環ポンプ１２は一時停止される。一方、温水タンク５には温水コック９が接続されており、ヒーター７で加温された温水を常時、供給することが出来る。【００１８】  バッグインボックス型液体包装体２が冷温水ディスペンサ１に搭載、装着される状態を、図３、図４を使って説明する。ディスペンサ１上部のドアー１４を上方に開き、内部の台座１５にバッグインボックス型液体包装体２を搭載する。このとき、液体包装体２の供給口（首部）２ａの根元部分を台座１５の切り欠きに、手前から奥に差し込むように搭載、固定する。台座１５は、台座枠組み及びディスペンサ１内側に設けられた４本のガイド２０によりディスペンサ１本体に設置され、且つ下部より偏心カム機構１６により支えられている。装置側面の左右いずれか一方にセットされた偏心カム機構操作レバー１７を操作することで、偏心カム機構１６は回転し、台座１５を上下させることが出来る。台座１５が下降することにより、台座１５に搭載、固定されたバッグインボックス型液体包装体２が同時に下降し、液体包装体２の供給口２ａが連結管３に密接して装着される。このとき、供給口２ａを内側から閉止している閉止弁２ｂは、連結管３の頂部に把持される。そして、液体包装体が空になると、台座１５を上昇させる。台座１５が上昇すると、液体包装体２の供給口２ａは連結管３から取り外される。このとき連結管頂部に把持されていた閉止弁２ｂは、再び液体包装体２の供給口２ａを内側から閉止する。更に、この液体包装体２のディスペンサ１への装着及び取り外しにおいて、一連の動作を水漏れなく、且つ容易に行えるよう連結管３はテーパー型となっている。
【図面の簡単な説明】
【００１９】
【図１】  本考案の構成図
【図２】  本考案の配管図
【図３】  バッグインボックス型液体包装体が台座に搭載、固定された状態の一部断面正面図。
【図４】  台座に搭載されたバッグインボックス型液体包装体が連結管に装着された状態の一部断面正面図。
【図５】  バッグインボックス型液体包装体の斜視図
【図６】  偏心カム機構の正面図
【図７】  偏心カム機構の側面図
【図８】  偏心カム機構の上面図
【図９】  台座の斜視図
【符号の説明】
【００２０】  １    冷温水ディスペンサ
２    バッグインボックス型液体包装体
２ａ  液体包装体の供給口
２ｂ  液体包装体の供給口閉止弁
３    連結管
４    供給配管
５    温水タンク
６    冷水コイル
７    ヒーター
８    冷却装置
９    温水コック
１０    冷水コック
１１    循環配管
１２    循環ポンプ
１３    リミットスイッチ
１４    ドアー
１５    台座
１６    偏心カム機構
１７    偏心カム機構操作レバー
１８    抗菌装置
１９    プラズマイオン発生装置
２０    ガイド
【図１】
0003110564.tif 000003
【図２】
0003110564.tif 000004
【図３】
0003110564.tif 000005
【図４】
0003110564.tif 000006
【図５】
0003110564.tif 000007
【図６】
0003110564.tif 000008
【図７】
0003110564.tif 000009
【図８】
0003110564.tif 000010
【図９】
0003110564.tif 000011